(57)【要約】      （修正有）【課題】ねじを取付け座に設けられた取付け孔に仮固定し、作業性よくねじの捻じ込みや釘の打ち込みを行うことのできる軒樋吊り具を提供するものである。【解決手段】アーム部２と取付け座１とからなる軒樋の吊り具であって、該取付け座１はアーム部２を中心に左右に張り出す取付け部からなり、該左右取付け部には取付け孔３が設けられ、この取付け孔３には弾性体からなるねじ仮固定手段４が内設された軒樋吊り具。【選択図】図１
2006200320.tif 000002
【特許請求の範囲】
【請求項１】
アーム部と取付け座とからなる軒樋の吊り具であって、該取付け座はアーム部を中心に左右に張り出す取付け部からなり、該左右取付け部には取付け孔が設けられ、この取付け孔には弾性体からなるねじ仮固定手段が内設された軒樋吊り具。
【請求項２】
上記ねじ仮固定手段が取付け座と別部材とされ、後から上記取付け孔に装着された請求項１に記載の軒樋吊り具。
【請求項３】
上記ねじ仮固定手段が上記取付け孔に一体的に形成された請求項１に記載の軒樋吊り具。
【発明の詳細な説明】
【技術分野】
【０００１】
本発明は、破風板等、建物の外面に取付けられ、軒樋を保持する軒樋吊り具に関する。
【背景技術】
【０００２】
軒樋吊り具は、軒樋を保持するアーム部と取付け座とが一体的に形成され、この取付け座はアーム部を中心に左右に張り出した取付け部からなっている。通常上記左右取付け部をねじ等の固定手段により建物の外面、例えば破風板に固定することにより、上記軒樋吊り具が取付けられる。
【特許文献１】特開２００４−１３７６７９号公報（第１〜３頁、第１図、第５図）
【発明の開示】
【発明が解決しようとする課題】
【０００３】
上記特許文献１の第１図から明らかなように、公知の軒樋吊り具においては、取付け座には取付け孔が建物に向けて垂直に設けられ、この取付け孔を挿通したねじが破風板に螺入して上記特許文献１の第１図に示されているように樋吊り具が取付けられる。しかしながら、上記取付け孔はねじが緩挿するように、やや大きい径を有しているため、片手でねじを保持して作業をする必要があり、ねじを落としたり、初期位置の決定を行いにくく、作業性が悪いという問題がある。本発明はこのような問題を解決して、ねじを上記取付け孔に仮固定し、作業性よくねじの捻じ込みや釘の打ち込みを行うことのできる軒樋吊り具を提供することをその課題とする。
【課題を解決するための手段】
【０００４】
上記課題を解決するために、本発明においては、つぎのような技術的手段を講じている。すなわち、本発明によれば、アーム部と取付け座とからなる軒樋の吊り具であって、該取付け座はアーム部を中心に左右に張り出す取付け部からなり、該左右取付け部には取付け孔が設けられ、この取付け孔には弾性体からなるねじ仮固定手段が内設された軒樋吊り具が提供される。
【０００５】
上記ねじ仮固定手段は取付け座と別部材とされ、後から上記取付け孔に装着して用いられる。好ましくは、ねじ仮固定手段をゴム、軟質プラスチックス等の弾性体を円筒状ないしは円柱状に成型してブッシュ形態とし、上記取付け孔に挿入される。また、上記ねじ仮固定手段が上記取付け孔に一体的に形成されてもよい。すなわち、取付け座の成型時にゴム、軟質プラスチックス等の弾性体を取付け座と同時に一体成型し、ねじ仮固定手段としてもよい。
【発明の効果】
【０００６】
請求項１に記載の発明は上記のとおりであり、取付け座の左右取付け部に設けられた取付け孔には弾性体からなるねじ仮固定手段を備えているため、ねじを仮固定手段に保持させて捻じ込みを行うことが可能となり、初期位置の決定を容易に行え、かつ、作業性よくネジの螺入を行うことができる。
【０００７】
上記ねじ仮固定手段が取付け座と別部材とされ、後から上記取付け孔に装着できるため、弾性体を種々の断面を持つブッシュとして、種類、寸法等の異なるねじ、釘等を弾性的に保持することができる。
【０００８】
また、取付け座と、この取付け座とは異なった材質であるねじ仮固定手段とを一体的に成型することにより、生産性よく本発明の軒樋吊り具を得ることができる。
【発明を実施するための最良の形態】
【０００９】
以下、本発明の実施形態について図面を参照して、詳細に説明する。図１は、本発明にかかる軒樋吊り具Ａを示す側面図である。図１からよくわかるように、上記軒樋吊り具Ａは、アーム部２と、取付け座１とからなり該取付け座１は後記するように、アーム部２を中心に左右に張り出す取付け部から構成されている。上記左右取付け部には建物に向けて貫通する取付け孔３が設けられ、この取付け孔３にはねじ仮固定手段４が内設されている。
【００１０】
図２は、図１に示す軒樋吊り具Ａをタッピングビス（木ネジを含む）５を用いて破風板６に取付ける状態を示す部分縦断面図である。このとき取付け孔３とねじ仮固定手段４とは図１に示すＸ−Ｘ線に沿う縦断面図で示されている。図３（ａ）、図３（ｂ）、図３（ｃ）は、弾性体を種々の断面を持つ円筒状ないしは円柱状のブッシュに成型して得られたねじ仮固定手段４を示す斜視図である。図３（ａ）には断面星状４ａ、図３（ｂ）にはフィン状４ｂ、図３（ｃ）にはスポンジからなる円柱状４ｃとされたねじ仮固定手段４が示されている。
【００１１】
タッピングビス５を例えば断面星状のブッシュ４ａを用いて仮固定するには、図２に示されているように、タッピングビス５の先端部５１を上記断面星状ブッシュ４ａの開口部に螺入すればよい。上記先端部５１は上記開口部に弾性的に保持され、仮固定することができる。このようにすることにより、タッピングビス５の初期位置の決定を容易に行え、螺入も容易となりしっかりと軒樋吊り具Ａを破風板６に取付けることができる。図４は左取付け部１１と右取付け部１２とに設けられた取付け孔３にタッピングビス５を螺入し、破風板６に取付けた本発明にかかる軒樋吊り具Ａを示す正面図である。
【００１２】
なお、上記ブッシュとされたねじ仮固定手段４を取付け孔３に装着する場合、正面側から余長の部分が出ていても、ねじの捻じ込みに伴い潰れるため、問題はない。また、ねじ仮固定手段４を、取付け孔３の内周面全体ではなく部分的に装着して用いることも可能である。
【００１３】
また、他の実施形態として、仮固定手段４を構成する弾性体を取付け座１の成型時に同時に一体成型し、上記仮固定手段４を取付け孔３に内設してもよい。このように本発明にかかる軒樋吊り具は種々設計変更可能であり、特許請求の範囲を逸脱しない限り、いずれも本発明の技術的範囲に属する。
【図面の簡単な説明】
【００１４】
【図１】本発明にかかる軒樋吊り具を示す側面図である。
【図２】本発明にかかる軒樋吊り具をタッピングビスを用いて破風板に取付ける状態を示す部分縦断面図である。
【図３】（ａ）断面星状ブッシュを示す斜視図である。
【００１５】
（ｂ）フィン状ブッシュを示す斜視図である。
【００１６】
（ｃ）スポンジからなる円柱状ブッシュを示す斜視図である。
【図４】破風板に固定された本発明にかかる軒樋吊り具を示す正面図である。
【符号の説明】
【００１７】
Ａ          本発明にかかる軒樋吊り具
１          取付け座
１１        左取付け部
１２        右取付け部
２          アーム部
３          取付け孔
４          ねじ仮固定手段
【図１】
2006200320.tif 000003
【図２】
2006200320.tif 000004
【図３】
2006200320.tif 000005
【図４】
2006200320.tif 000006